【手続補正書】
【提出日】平成24年11月20日(2012.11.20)
【手続補正１】
【補正対象書類名】明細書
【補正対象項目名】発明の名称
【補正方法】変更
【補正の内容】
【発明の名称】電子機器及び制御方法
【手続補正２】
【補正対象書類名】明細書
【補正対象項目名】０００１
【補正方法】変更
【補正の内容】
【０００１】
本発明は、当該電子機器にて設定した機能の実現を他の電子機器で実行させる電子機器及び制御方法に関するものである。
【手続補正３】
【補正対象書類名】明細書
【補正対象項目名】０００９
【補正方法】変更
【補正の内容】
【０００９】
本発明は、かかる従来の課題に鑑みてなされたものであり、同一の機能を有する複数種の電子機器において、より高い機能を有する電子機器の当該機能を利用できるようにした電子機器及び制御方法を提供することを目的とする。
【手続補正４】
【補正対象書類名】明細書
【補正対象項目名】００１０
【補正方法】変更
【補正の内容】
【００１０】
本発明は、上記目的を達成するため、設定された制御情報に基づき所定の機能を実現する機能実現手段と、前記制御情報を設定する設定手段と、前記機能実現手段により実現される前記所定の機能の評価を示す評価情報を記憶した評価情報記憶手段と、前記評価情報記憶手段に記憶されている自機の評価情報を外部に送信する評価情報送信手段と、外部から送信された他機の前記評価情報を受信する評価情報受信手段と、前記評価情報受信手段により受信された他機の前記評価情報が示す評価が、前記自機の評価情報が示す評価よりも高い場合、前記設定手段より設定された前記制御情報を当該他機に送信する制御情報送信手段と、他機から送信された前記制御情報を受信する制御情報受信手段と、前記制御情報受信手段が前記制御情報を受信した場合には当該受信した制御情報に基づき、前記制御情報を受信しない場合には前記設定手段により設定された制御情報に基づき、前記機能実現手段の前記所定の機能を実現させる制御手段と、を備えることを特徴とする電子機器である。
【手続補正５】
【補正対象書類名】明細書
【補正対象項目名】００１１
【補正方法】変更
【補正の内容】
【００１１】
本発明は、上記目的を達成するため、設定された制御情報に基づき所定の機能を実現する機能実現手段と、前記制御情報を設定する設定手段と、前記機能実現手段により実現される前記所定の機能の評価を示す評価情報を記憶した評価情報記憶手段と、を備える電子機器において、前記評価情報記憶手段に記憶されている自機の評価情報を外部に送信する評価情報送信ステップと、外部から送信された他機の前記評価情報を受信する評価情報受信ステップと、前記評価情報受信ステップにより受信された他機の前記評価情報が示す評価が、前記自機の評価情報が示す評価よりも高い場合、前記設定手段より設定された前記制御情報を当該他機に送信する制御情報送信ステップと、他機から送信された前記制御情報を受信する制御情報受信ステップと、前記制御情報受信ステップが前記制御情報を受信した場合には当該受信した制御情報に基づき、前記制御情報を受信しない場合には前記設定手段により設定された制御情報に基づき、前記機能実現手段の前記所定の機能を実現させる制御ステップと、を備えることを特徴とする制御方法である。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００３３
【補正方法】変更
【補正の内容】
【００３３】
図５は、腕時計１、携帯電話２、置時計３に各々記憶されている適正度テーブルを示す図である。すなわち、腕時計１のＲＯＭ１１０には、プログラム等とともに図５（Ａ）に示す適正度テーブル１１が記憶され、携帯電話２のＲＯＭ３０８には、プログラム等とともに図５（Ｂ）に示す適正度テーブル２１が記憶され、置時計３のＲＯＭ２２２には、プログラム等とともに図５（Ｃ）に示す適正度テーブル３１が記憶されている。
【手続補正１１】
【補正対象書類名】明細書
【補正対象項目名】００６２
【補正方法】変更
【補正の内容】
【００６２】
すなわち、先ず自端末がマスター端末（ユーザの操作によりアラーム機能設定情報が設定された端末）であるか否かを判断する。自端末＝マスター端末である場合には、ステップＳ３０２〜Ｓ３０３の処理を実行することなく、ステップＳ３０４に進みアラーム機能を実行する。つまり、アラームデータ記憶部１１６、２０８、３１４に記憶されているアラーム機能設定情報が示す時刻となった時点で、アラーム機能を発生させる。
【手続補正１２】
【補正対象書類名】明細書
【補正対象項目名】００６４
【補正方法】変更
【補正の内容】
【００６４】
また、自端末≠マスター端末である場合、つまり他の端末からアラーム機能設定情報を受信して記憶しているスレーブ端末である場合には、ＰＡＮ通信による他の端末からの応答の有無により、周囲に存在する端末を検索する（ステップＳ３０２）。そして、検索の結果に基づき、当該スレーブ端末の通信範囲内にマスター端末があるか否かを判断する（ステップＳ３０３）。
【手続補正１３】
【補正対象書類名】明細書
【補正対象項目名】００６５
【補正方法】変更
【補正の内容】
【００６５】
当該スレーブ端末の通信範囲内、つまり近くにマスター端末がない場合には、ステップＳ３０５でアラーム機能を実行させることなく、記憶されているアラーム機能設定情報を消去する。ここで、近くにマスター端末がない場合とは、例えば、ユーザが腕時計１にてアラーム機能の設定操作を行い（腕時計１がマスター端末）、その後、置時計３にアラーム機能設定情報が送信されて、置時計３がスレーブ端末となっているが、腕時計１を所持しているユーザが置時計３の傍らか離れている場合である。
【手続補正１４】
【補正対象書類名】特許請求の範囲
【補正対象項目名】全文
【補正方法】変更
【補正の内容】
【特許請求の範囲】
【請求項１】
設定された制御情報に基づき所定の機能を実現する機能実現手段と、
前記制御情報を設定する設定手段と、
前記機能実現手段により実現される前記所定の機能の評価を示す評価情報を記憶した評価情報記憶手段と、
前記評価情報記憶手段に記憶されている自機の評価情報を外部に送信する評価情報送信手段と、
外部から送信された他機の前記評価情報を受信する評価情報受信手段と、
前記評価情報受信手段により受信された他機の前記評価情報が示す評価が、前記自機の評価情報が示す評価よりも高い場合、前記設定手段より設定された前記制御情報を当該他機に送信する制御情報送信手段と、
他機から送信された前記制御情報を受信する制御情報受信手段と、
前記制御情報受信手段が前記制御情報を受信した場合には当該受信した制御情報に基づき、前記制御情報を受信しない場合には前記設定手段により設定された制御情報に基づき、前記機能実現手段の前記所定の機能を実現させる制御手段と、
を備えることを特徴とする電子機器。
【請求項２】
前記制御情報受信手段が受信した制御情報に基づき、前記制御手段が前記機能実現手段の機能を実現させるに際して、前記設定手段により制御情報が設定された他の電子機器が通信可能範囲に存在するか否かを判断する判断手段を備え、
前記判断手段により前記他の電子機器が通信可能範囲に存在しないと判断された場合、前記制御手段は、前記所定の機能を実現を中止することを特徴とする請求項１記載の電子機器。
【請求項３】
前記設定手段により設定された制御情報を記憶する制御情報記憶手段を備え、
前記制御手段は、前記制御情報記憶手段に記憶された制御情報に基づき、前記機能実現手段の前記所定の機能を実現させ、
前記制御情報送信手段が、前記制御情報を当該他機に送信した場合、前記制御情報記憶手段に記憶された制御情報を消去する記憶制御手段を備えることを特徴とする請求項１又は２記載の電子機器。
【請求項４】
前記制御情報受信手段により受信された制御情報を記憶する制御情報記憶手段を備え、
前記制御手段は、前記制御情報記憶手段に記憶された制御情報に基づき、前記機能実現手段の前記所定の機能を実現させ、
前記制御手段が、前記機能実現手段の前記所定の機能を実現させた後において、前記制御情報記憶手段に記憶されている前記制御情報を消去する記憶制御手段を備えることを特徴とする請求項１、２又は３記載の電子機器。
【請求項５】
前記所定の機能は、前記制御情報が示す時刻に放音するアラーム機能であることを特徴とする請求項１から４にいずれか記載の電子機器。
【請求項６】
電池を電源として動作することを特徴とする請求項１から５にいずれか記載の電子機器。
【請求項７】
設定された制御情報に基づき所定の機能を実現する機能実現手段と、前記制御情報を設定する設定手段と、前記機能実現手段により実現される前記所定の機能の評価を示す評価情報を記憶した評価情報記憶手段と、を備える電子機器において、
前記評価情報記憶手段に記憶されている自機の評価情報を外部に送信する評価情報送信ステップと、
外部から送信された他機の前記評価情報を受信する評価情報受信ステップと、
前記評価情報受信ステップにより受信された他機の前記評価情報が示す評価が、前記自機の評価情報が示す評価よりも高い場合、前記設定手段より設定された前記制御情報を当該他機に送信する制御情報送信ステップと、
他機から送信された前記制御情報を受信する制御情報受信ステップと、
前記制御情報受信ステップが前記制御情報を受信した場合には当該受信した制御情報に基づき、前記制御情報を受信しない場合には前記設定手段により設定された制御情報に基づき、前記機能実現手段の前記所定の機能を実現させる制御ステップと、
を備えることを特徴とする制御方法。